(57)【要約】【課題】自然光に近い視認特性の照明光を用いて被検眼を観察することが可能な眼科観察装置を提供する。【解決手段】実施形態の眼科観察装置は、照明系と、観察系とを有する。照明系は、白色光源と、演色性変換フィルタとを有する。白色光源は、発光素子を有する。演色性変換フィルタは、白色光源により出力された光の演色性を高める。照明系は、演色性変換フィルタを透過した光で被検眼を照明する。観察系は、照明系により照明された被検眼を観察するために用いられる。【選択図】図３
2014023868.tif 000002
【特許請求の範囲】
【請求項１】
発光素子を有する白色光源と、前記白色光源により出力された光の演色性を高める演色性変換フィルタとを含み、前記演色性変換フィルタを透過した光で被検眼を照明する照明系と、
前記照明系により照明された被検眼を観察するための観察系と
を有する眼科観察装置。
【請求項２】
前記照明系の光路に対して前記演色性変換フィルタを挿脱する第１駆動部を有することを特徴とする請求項１に記載の眼科観察装置。
【請求項３】
前記白色光源は、寒色系白色光源であり、
前記照明系は、前記寒色系白色光源により出力された光の色温度を低下させる色温度変換フィルタを含む
ことを特徴とする請求項１又は請求項２に記載の眼科観察装置。
【請求項４】
前記照明系の光路に対して前記色温度変換フィルタを挿脱する第２駆動部を有することを特徴とする請求項３に記載の眼科観察装置。
【請求項５】
前記演色性変換フィルタ及び前記色温度変換フィルタが単一の光学フィルタとして構成されていることを特徴とする請求項３又は請求項４に記載の眼科観察装置。
【請求項６】
前記照明系は、被検眼に投与される蛍光剤の励起波長成分を透過させる蛍光フィルタを含むことを特徴とする請求項１〜請求項５のいずれか一項に記載の眼科観察装置。
【請求項７】
前記照明系の光路に対して前記蛍光フィルタを挿脱する第３駆動部を有することを特徴とする請求項６に記載の眼科観察装置。
【請求項８】
前記照明系は、被検眼に投与される蛍光剤の励起波長成分を透過させる蛍光フィルタを含み、
前記光路に対して前記蛍光フィルタを挿脱する第３駆動部と、
前記演色性変換フィルタの前記光路への挿入と前記蛍光フィルタの前記光路からの退避とを連動させ、かつ、前記蛍光フィルタの前記光路への挿入と前記演色性変換フィルタの前記光路からの退避とを連動させるように、前記第１駆動部及び前記第３駆動部を制御する第１制御部と
を有する
ことを特徴とする請求項２に記載の眼科観察装置。
【請求項９】
前記白色光源は、寒色系白色光源であり、
前記照明系は、前記寒色系白色光源により出力された光の色温度を低下させる色温度変換フィルタを含み、
前記光路に対して前記色温度変換フィルタを挿脱する第２駆動部を有し、
前記第１制御部は、前記演色性変換フィルタ及び前記色温度変換フィルタの前記光路への挿入と前記蛍光フィルタの前記光路からの退避とを連動させ、かつ、前記蛍光フィルタの前記光路への挿入と前記演色性変換フィルタ及び前記色温度変換フィルタの前記光路からの退避とを連動させるように、前記第１駆動部、前記第２駆動部及び前記第３駆動部を制御する
ことを特徴とする請求項８に記載の眼科観察装置。
【請求項１０】
前記演色性変換フィルタ及び前記色温度変換フィルタが単一の光学フィルタとして構成され、
前記第１駆動部及び前記第２駆動部が単一の駆動部として構成されている
ことを特徴とする請求項９に記載の眼科観察装置。
【請求項１１】
前記単一の光学フィルタと前記蛍光フィルタとを保持する保持部材を有し、
前記第１駆動部、前記第２駆動部及び前記第３駆動部は、前記保持部材を移動させる単一の駆動部として構成されている
ことを特徴とする請求項１０に記載の眼科観察装置。
【請求項１２】
前記照明系は、前記白色光源により出力された光からスリット光を生成する一対のスリット刃を含み、
前記スリット刃の間隔を変更する第４駆動部と、
前記光路に対する前記蛍光フィルタの挿入と前記スリット刃の間隔の拡大とを連動させるように、前記第３駆動部及び前記第４駆動部を制御する第２制御部と
を有する
ことを特徴とする請求項７〜請求項１１のいずれか一項に記載の眼科観察装置。
【請求項１３】
前記照明系は、前記白色光源により出力された光の被検眼に対する照射光量を制限する照明絞りを含み、
前記照明絞りによる前記照射光量を変更する第５駆動部と、
前記光路に対する前記蛍光フィルタの挿入と前記照射光量の増大とを連動させるように、前記第３駆動部及び前記第５駆動部を制御する第３制御部と
を有する
ことを特徴とする請求項７〜請求項１２のいずれか一項に記載の眼科観察装置。
【請求項１４】
前記照明系は、前記白色光源により出力された光の被検眼に対する照射野を制限する視野絞りを含み、
前記視野絞りによる前記照射野を変更する第６駆動部と、
前記光路に対する前記蛍光フィルタの挿入と前記照射野の拡大とを連動させるように、前記第３駆動部及び前記第６駆動部を制御する第４制御部と
を有する
ことを特徴とする請求項７〜請求項１３のいずれか一項に記載の眼科観察装置。
【請求項１５】
前記光路に対する前記蛍光フィルタの挿入と前記光の出力強度の増大とを連動させるように、前記第３駆動部及び前記白色光源を制御する第５制御部を有することを特徴とする請求項７〜請求項１４のいずれか一項に記載の眼科観察装置。
【請求項１６】
前記演色性変換フィルタは、前記照明系の光軸に対して傾斜配置されていることを特徴とする請求項１〜請求項１５のいずれか一項に記載の眼科観察装置。
【発明の詳細な説明】
【技術分野】
【０００１】
この発明は眼科観察装置に関する。
【背景技術】
【０００２】
眼科観察装置は、被検眼を観察するために用いられる装置である。眼科観察装置としては、細隙灯顕微鏡や手術用顕微鏡などがある。細隙灯顕微鏡は、スリット光を用いて角膜の光切片を切り取ることにより角膜の断面の画像を取得する眼科装置である。また、手術用顕微鏡は、眼科手術において被検眼の拡大像を得るために用いられる。
【０００３】
これら眼科観察装置は蛍光観察にも用いられる。蛍光観察には、蛍光剤を励起する波長成分を透過させるバンドパスフィルタや、発生した蛍光の波長成分を透過させるバンドパスフィルタが用いられる。
【０００４】
眼科観察装置の光源としては従来ハロゲンランプが用いられていたが、高輝度な白色発光ダイオード（白色ＬＥＤ）を光源とするものも近年登場している。
【先行技術文献】
【特許文献】
【０００５】
【特許文献１】特開２０１１−００４８７７号公報
【特許文献２】特表２０１１−５２８５９２号公報
【発明の概要】
【発明が解決しようとする課題】
【０００６】
しかし、高輝度白色ＬＥＤの出力光には蛍光に必要な波長成分（励起波長成分。約４９０ｎｍ）が少量しか含まれないため、十分な蛍光量を得ることができない。また、高輝度白色ＬＥＤは一般に演色性が低く、照明対象（被検眼）の発色が不自然になるため、眼科観察装置の光源には適さない。
【０００７】
一方、励起波長成分を十分に含む演色性の高い白色ＬＥＤを使用することで上記問題は解決できるが、このタイプの白色ＬＥＤは比較的輝度が低いため、やはり眼科観察装置の光源には適さない。特に、十分な照明光量が必要な蛍光観察を高演色性白色ＬＥＤを用いて行うことは困難である。
【０００８】
このように、蛍光観察では十分な明るさの光源を用いることが望ましく、それ以外の観察モードでは自然光に近い視認特性を有する高演色性の光源を用いることが望ましいが、従来の技術でこれらを満足することはできなかった。
【０００９】
この発明の目的は、自然光に近い視認特性の照明光を用いて被検眼を観察することが可能な眼科観察装置を提供することにある。
【００１０】
また、この発明の他の目的は、蛍光観察においては高輝度の照明光を用いることができ、他の観察モードにおいては自然光に近い視認特性の照明光を用いることができる眼科観察装置を提供することにある。
【課題を解決するための手段】
【００１１】
上記目的を達成するために、請求項１に記載の眼科観察装置は、発光素子を有する白色光源と、前記白色光源により出力された光の演色性を高める演色性変換フィルタとを含み、前記演色性変換フィルタを透過した光で被検眼を照明する照明系と、前記照明系により照明された被検眼を観察するための観察系とを有する眼科観察装置である。
また、請求項２に記載の発明は、請求項１に記載の眼科観察装置であって、前記照明系の光路に対して前記演色性変換フィルタを挿脱する第１駆動部を有することを特徴とする。
また、請求項３に記載の発明は、請求項１又は請求項２に記載の眼科観察装置であって、前記白色光源は、寒色系白色光源であり、前記照明系は、前記寒色系白色光源により出力された光の色温度を低下させる色温度変換フィルタを含むことを特徴とする。
また、請求項４に記載の発明は、請求項３に記載の眼科観察装置であって、前記照明系の光路に対して前記色温度変換フィルタを挿脱する第２駆動部を有することを特徴とする。
また、請求項５に記載の発明は、請求項３又は請求項４に記載の眼科観察装置であって、前記演色性変換フィルタ及び前記色温度変換フィルタが単一の光学フィルタとして構成されていることを特徴とする。
また、請求項６に記載の発明は、請求項１〜請求項５のいずれか一項に記載の眼科観察装置であって、前記照明系は、被検眼に投与される蛍光剤の励起波長成分を透過させる蛍光フィルタを含むことを特徴とする。
また、請求項７に記載の発明は、請求項６に記載の眼科観察装置であって、前記照明系の光路に対して前記蛍光フィルタを挿脱する第３駆動部を有することを特徴とする。
また、請求項８に記載の発明は、請求項２に記載の眼科観察装置であって、前記照明系は、被検眼に投与される蛍光剤の励起波長成分を透過させる蛍光フィルタを含み、前記光路に対して前記蛍光フィルタを挿脱する第３駆動部と、前記演色性変換フィルタの前記光路への挿入と前記蛍光フィルタの前記光路からの退避とを連動させ、かつ、前記蛍光フィルタの前記光路への挿入と前記演色性変換フィルタの前記光路からの退避とを連動させるように、前記第１駆動部及び前記第３駆動部を制御する第１制御部とを有することを特徴とする。
また、請求項９に記載の発明は、請求項８に記載の眼科観察装置であって、前記白色光源は、寒色系白色光源であり、前記照明系は、前記寒色系白色光源により出力された光の色温度を低下させる色温度変換フィルタを含み、前記光路に対して前記色温度変換フィルタを挿脱する第２駆動部を有し、前記第１制御部は、前記演色性変換フィルタ及び前記色温度変換フィルタの前記光路への挿入と前記蛍光フィルタの前記光路からの退避とを連動させ、かつ、前記蛍光フィルタの前記光路への挿入と前記演色性変換フィルタ及び前記色温度変換フィルタの前記光路からの退避とを連動させるように、前記第１駆動部、前記第２駆動部及び前記第３駆動部を制御することを特徴とする。
また、請求項１０に記載の発明は、請求項９に記載の眼科観察装置であって、前記演色性変換フィルタ及び前記色温度変換フィルタが単一の光学フィルタとして構成され、前記第１駆動部及び前記第２駆動部が単一の駆動部として構成されていることを特徴とする。
また、請求項１１に記載の発明は、請求項１０に記載の眼科観察装置であって、前記単一の光学フィルタと前記蛍光フィルタとを保持する保持部材を有し、前記第１駆動部、前記第２駆動部及び前記第３駆動部は、前記保持部材を移動させる単一の駆動部として構成されていることを特徴とする。
また、請求項１２に記載の発明は、請求項７〜請求項１１のいずれか一項に記載の眼科観察装置であって、前記照明系は、前記白色光源により出力された光からスリット光を生成する一対のスリット刃を含み、前記スリット刃の間隔を変更する第４駆動部と、前記光路に対する前記蛍光フィルタの挿入と前記スリット刃の間隔の拡大とを連動させるように、前記第３駆動部及び前記第４駆動部を制御する第２制御部とを有することを特徴とする。
また、請求項１３に記載の発明は、請求項７〜請求項１２のいずれか一項に記載の眼科観察装置であって、前記照明系は、前記白色光源により出力された光の被検眼に対する照射光量を制限する照明絞りを含み、前記照明絞りによる前記照射光量を変更する第５駆動部と、前記光路に対する前記蛍光フィルタの挿入と前記照射光量の増大とを連動させるように、前記第３駆動部及び前記第５駆動部を制御する第３制御部とを有することを特徴とする。
また、請求項１４に記載の発明は、請求項７〜請求項１３のいずれか一項に記載の眼科観察装置であって、前記照明系は、前記白色光源により出力された光の被検眼に対する照射野を制限する視野絞りを含み、前記視野絞りによる前記照射野を変更する第６駆動部と、前記光路に対する前記蛍光フィルタの挿入と前記照射野の拡大とを連動させるように、前記第３駆動部及び前記第６駆動部を制御する第４制御部とを有することを特徴とする。
また、請求項１５に記載の発明は、請求項７〜請求項１４のいずれか一項に記載の眼科観察装置であって、前記光路に対する前記蛍光フィルタの挿入と前記光の出力強度の増大とを連動させるように、前記第３駆動部及び前記白色光源を制御する第５制御部を有することを特徴とする。
また、請求項１６に記載の発明は、請求項１〜請求項１５のいずれか一項に記載の眼科観察装置であって、前記演色性変換フィルタは、前記照明系の光軸に対して傾斜配置されていることを特徴とする。
【発明の効果】
【００１２】
この発明によれば、自然光に近い視認特性の照明光を用いて被検眼を観察することが可能である。
【００１３】
また、この発明によれば、蛍光観察においては高輝度の照明光を用いることができ、他の観察モードにおいては自然光に近い視認特性の照明光を用いることができる。
【図面の簡単な説明】
【００１４】
【図１】実施形態に係る眼科観察装置の構成の一例を表す概略図である。
【図２】実施形態に係る眼科観察装置の構成の一例を表す概略図である。
【図３】実施形態に係る眼科観察装置の構成の一例を表す概略ブロック図である。
【図４Ａ】実施形態に係る眼科観察装置の構成の一例の概略説明図である。
【図４Ｂ】実施形態に係る眼科観察装置の構成の一例の概略説明図である。
【発明を実施するための形態】
【００１５】
この発明に係る眼科観察装置の実施形態の一例について、図面を参照しながら詳細に説明する。なお、この明細書に記載された文献の記載内容を、以下の実施形態の内容として適宜援用することが可能である。なお、以下においてはこの発明が適用された細隙灯顕微鏡について詳しく説明するが、他の眼科観察装置（手術用顕微鏡等）についても同様の構成を適用することが可能である。
【００１６】
まず方向を定義しておく。装置光学系において最も被検者側に位置するレンズ（対物レンズ）から被検者に向かう方向を前方向とし、その逆方向を後方向とする。また、前方向に直交する水平方向を左右方向をとする。更に、前後方向と左右方向の双方に直交する方向を上下方向とする。
【００１７】
［外観構成］
この実施形態に係る眼科観察装置（細隙灯顕微鏡）の外観構成について、図１を参照しながら説明する。細隙灯顕微鏡１には、コンピュータ１００が接続されている。コンピュータ１００は、各種の制御処理や演算処理を行う。なお、顕微鏡本体（光学系等を格納する筐体）とは別にコンピュータ１００を設ける代わりに、顕微鏡本体に同様のコンピュータを搭載した構成を適用することも可能である。
【００１８】
細隙灯顕微鏡１はテーブル２上に載置される。なお、コンピュータ１００は他のテーブル上又はその他の場所に設置されていてもよい。基台４は、移動機構部３を介して水平方向に移動可能に構成されている。基台４は、操作ハンドル５を傾倒操作することにより移動される。
【００１９】
基台４の上面には、観察系６及び照明系８を支持する支持部１５が設けられている。支持部１５には、観察系６を支持する支持アーム１６が左右方向に回動可能に取り付けられている。支持アーム１６の上部には、照明系８を支持する支持アーム１７が左右方向に回動可能に取り付けられている。支持アーム１６、１７は、それぞれ独立に同軸で回動可能とされている。
【００２０】
観察系６は、支持アーム１６を手動で回動させることで移動される。照明系８は、支持アーム１７を手動で回動させることで移動される。なお、各支持アーム１６、１７は、電気的な機構によって回動されるように構成されていてもよい。その場合、各支持アーム１６、１７を回動させるための駆動力を発生するアクチュエータと、この駆動力を伝達する伝達機構とが設けられる。アクチュエータは、たとえばステッピングモータ（パルスモータ）により構成される。伝達機構は、たとえば歯車の組み合わせやラック・アンド・ピニオンなどによって構成される。
【００２１】
照明系８は、被検眼Ｅに照明光を照射する。照明系８は、前述のように、上下方向に延びる回動軸を中心に左右方向に振ることができる。それにより被検眼Ｅに対する照明光の照射方向が変更される。照明系８は上下方向にも振れるように構成されていてもよい。つまり、照明光の仰角や俯角を変更できるように構成されていてもよい。
【００２２】
観察系６は、被検眼Ｅによる照明光の反射光を案内する左右一対の光学系を有する。この光学系は鏡筒本体９内に収納されている。鏡筒本体９の終端は接眼部９ａである。検者は接眼部９ａをのぞき込むことで被検眼Ｅを肉眼で観察する。前述のように、支持アーム１６を回動させることにより鏡筒本体９を左右方向に回動させることができる。それにより被検眼Ｅに対する観察系６の向きを変更することができる。なお、照明光の反射光には、たとえば散乱光のように被検眼Ｅを経由した各種の光が含まれるが、これら各種の光を含めて「反射光」と呼ぶことにする。
【００２３】
鏡筒本体９に対峙する位置には顎受け台１０が配置されている。顎受け台１０には、被検者の顔を安定配置させるための顎受部１０ａと額当て１０ｂが設けられている。
【００２４】
鏡筒本体９の側面には、観察倍率を変更するための観察倍率操作ノブ１１が配置されている。更に、鏡筒本体９には、被検眼Ｅを撮影するための撮像装置１３が接続されている。撮像装置１３は撮像素子を含んで構成されている。撮像素子は、光を検出して電気信号（画像信号）を出力する光電変換素子である。画像信号はコンピュータ１００に入力される。撮像素子としては、たとえばＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサが用いられる。照明系８の下方位置には、照明系８から出力される照明光束を被検眼Ｅに向けて反射するミラー１２が配置されている。
【００２５】
［光学系の構成］
細隙灯顕微鏡１の光学系の構成について、図２を参照しながら説明する。細隙灯顕微鏡１は観察系６と照明系８を有する。
【００２６】
〔観察系〕
観察系６は左右一対の光学系を備えている。左右の光学系は、ほぼ同様の構成を有する。検者は、この左右の光学系により被検眼Ｅを双眼で観察することができる。なお、図２には、観察系６の左右の光学系の一方のみが示されている。符号Ｏ１は観察系６の光軸（観察光軸）である。
【００２７】
観察系６の左右の各光学系は、対物レンズ３１、変倍光学系３２、絞り３３、リレーレンズ３５、プリズム３６及び接眼レンズ３７を有する。ビームスプリッタ３４は、左右の光学系の一方のみに又は双方に設けられる。接眼レンズ３７は接眼部９ａ内に設けられている。符号Ｐは、接眼レンズ３７に導かれる光の結像位置を示している。符号Ｅｃは被検眼Ｅの角膜を、符号Ｅｐは虹彩を、符号Ｅｒは眼底をそれぞれ示している。符号Ｅｏは検者眼を示している。
【００２８】
変倍光学系３２は、複数（たとえば２枚）の変倍レンズ３２ａ、３２ｂを含んで構成される。各変倍レンズ３２ａ、３２ｂは観察光軸Ｏ１に沿って移動可能とされている。それにより、被検眼Ｅの肉眼観察像や撮影画像の倍率（画角）を変更できる。倍率の変更は、観察倍率操作ノブ１１を操作することにより行われる。また、図示しないスイッチ等を用いて電動で倍率を変更するように構成してもよい。
【００２９】
ビームスプリッタ３４は、観察光軸Ｏ１に沿って進む光を二分割する。ビームスプリッタ３４を透過した光は、リレーレンズ３５、プリズム３６及び接眼レンズ３７を介して検者眼Ｅｏに導かれる。プリズム３６は、２つの光学素子３６ａ、３６ｂを含み、光の進行方向を上方に平行移動させる。
【００３０】
他方、ビームスプリッタ３４により反射された光は、リレーレンズ４１及びミラー４２を介して、撮像装置１３の撮像素子４３に導かれる。撮像素子４３は、この反射光を検出して画像信号を生成する。
【００３１】
変倍光学系３２とビームスプリッタ３４との間にはバリアフィルタ８３が配置される。バリアフィルタ８３は、観察系６の光路（観察光路）に対して挿脱可能に設けられている。バリアフィルタ８３は、蛍光観察を行うときに観察光路に挿入される。バリアフィルタ８３は、蛍光観察において被検眼Ｅに投与される蛍光剤が発する蛍光に相当する波長成分を透過させる光学フィルタ（バンドパスフィルタ）である。バリアフィルタ８３を移動させるための機構については後述する。
【００３２】
〔照明系〕
照明系８は、白色光源５１、リレーレンズ５２、照明絞り５６、集光レンズ５３、視野絞り５７、細隙（スリット）形成部５４及び集光レンズ５５を有する。また、細隙形成部５４と集光レンズ５５との間には後述の光学フィルタが配置される。この光学フィルタは、照明系８の光路（照明光路）に対して挿脱可能に設けられている。符号Ｏ２は、照明系８の光軸（照明光軸）を示す。
【００３３】
白色光源５１は照明光を出力する。白色光源５１は、発光素子（発光ダイオード）を有するものである。このような白色光源５１として白色ＬＥＤがある。また、白色有機ＥＬ光源のように発光素子をバックライトとして用いるものもある。一般に白色光源とは、可視領域のほぼ全域にわたるスペクトル分布の光を出力する光源や、所定の波長を中心波長とする所定の波長帯域の光を出力する光源であって、その出力光が実質的に白色として視認されるものである。また、この実施形態において、白色光源５１は寒色系白色光源であるとする。寒色系白色光源とは、白色光源のうち比較的色温度が低い光を出力するものをいう。寒色系白色光源は、特に、後述の色温度変換フィルタが用いられる場合に適用される。
【００３４】
なお、このような白色光源５１とは別の光源を追加的に設けることが可能である。たとえば、定常光を出力する光源と、フラッシュ光を出力する光源とを別々に設けることが可能である。また、角膜観察用の光源と眼底観察用の光源とを別々に設けることもできる。
【００３５】
細隙形成部５４は、スリット光（細隙光）を生成するために用いられる。細隙形成部５４は、一対のスリット刃を有する。これらスリット刃の間隔（スリット幅）を変更することによりスリット光の幅が変更される。
【００３６】
照明絞り５６は、その透光部のサイズを変更可能に構成され、白色光源５１により出力された光の被検眼Ｅに対する照射光量を制限するように作用する。つまり、照明絞り５６は、被検眼Ｅに照射される照明光の明るさを変更するための光学部材である。また、照明絞り５６には、角膜Ｅｃや水晶体による照明光の反射を低減させたり、照明光の明るさを調整したりといった機能もある。
【００３７】
視野絞り５７は、その透光部のサイズを変更可能に構成され、白色光源５１により出力された光の被検眼Ｅに対する照射野を制限するように作用する。視野絞り５７の透光部は、たとえば円形状に形成される。
【００３８】
細隙形成部５４と集光レンズ５５との間に配置される光学フィルタについて説明する。この光学フィルタには、少なくとも演色性変換フィルタが含まれる。また、色温度変換フィルタや蛍光フィルタが含まれていてもよい。２つ以上の光学フィルタが設けられる場合、各光学フィルタが照明光路に対して挿脱可能とされる。
【００３９】
演色性変換フィルタは、白色光源５１により出力された光の演色性を高める光学フィルタである。「演色性を高める」とは、演色性変換フィルタが白色光源５１の出力光をより自然光に近いスペクトル分布の光に変換することを示す。
【００４０】
色温度変換フィルタは、白色光源５１により出力された光の色温度を低下させる光学フィルタである。上記のように、色温度変換フィルタが用いられる場合には、白色光源５１として寒色系白色光源が用いられる。色温度変換フィルタは、寒色系白色光源から出力された寒色系の光をより暖色系の光に変換するよう作用する。
【００４１】
蛍光フィルタは、被検眼Ｅに投与される蛍光剤を励起して蛍光を発生させる波長成分（励起波長成分）を透過させる光学フィルタ（バンドパスフィルタ）であり、エキサイタフィルタとも呼ばれる。
【００４２】
この実施形態では、演色性変換フィルタ、色温度変換フィルタ及び蛍光フィルタが設けられるものとする。更に、この実施形態では、演色性変換フィルタと色温度変換フィルタを単一の光学フィルタとして構成するものとする。当該２つの機能を有する光学フィルタを色変換フィルタと呼ぶことがある。したがって、この実施形態では、演色性変換機能及び色温度変換機能を有する光学フィルタ（色変換フィルタ）と、蛍光観察で用いられる光学フィルタ（蛍光フィルタ）の２つが、照明系８に設けられる。詳細は後述するが、色変換フィルタと蛍光フィルタは互いに排他的に照明光路に配置される。
【００４３】
図２において、色変換フィルタを符号８１で示し、蛍光フィルタを符号８２で示す。色変換フィルタ８１は、照明光軸Ｏ２に対して傾斜配置されている。つまり、色変換フィルタ８１は、その光入射面（及び光出射面）の法線方向が照明光軸Ｏ２に対して所定の角度を成すように配置されている。この傾斜角度はたとえば１０度とされる。このような傾斜配置によって、色変換フィルタ８１による反射光が照明光に混入して照明光の色特性に影響を与えることを防止できる。
【００４４】
［制御系の構成］
細隙灯顕微鏡１の制御系について、図３を参照しながら説明する。細隙灯顕微鏡１の制御系は、制御部１０１を中心に構成されている。なお、図３には、この実施形態で特に注目する構成部位のみが記載されており、それ以外の構成部位は省略されている。
【００４５】
〔駆動系〕
細隙灯顕微鏡１の制御系には、各種部材を駆動させる駆動系が含まれている。この駆動系には、照明系８に関するスリット駆動部５４Ａ、照明絞り駆動部５６Ａ、視野絞り駆動部５７Ａ及びフィルタ駆動部８０Ａと、観察系６に関するフィルタ駆動部８３Ａとが含まれている。各駆動部は、パルスモータやソレノイド等のアクチュエータを含んで構成される。また、駆動部は、アクチュエータにより発生された駆動力を伝達する伝達機構を含んでいてもよい。
【００４６】
スリット駆動部５４Ａは、細隙形成部５４の一対のスリット刃を移動させてスリット刃幅を変更するよう機能する。スリット駆動部５４Ａは「第４駆動部」の一例である。
【００４７】
照明絞り駆動部５６Ａは、照明絞り５６を動作させて被検眼Ｅに対する照明光の照射光量を変更するよう機能する。照明絞り駆動部５６Ａは「第５駆動部」の一例である。
【００４８】
視野絞り駆動部５７Ａは、視野絞り５７を動作させて被検眼Ｅに対する照明光の照射光野を変更するよう機能する。視野絞り駆動部５７Ａは「第６駆動部」の一例である。
【００４９】
フィルタ駆動部８０Ａは、色変換フィルタ８１及び蛍光フィルタ８２を保持するフィルタ保持部材８０を駆動させることで、これら光学フィルタを照明光路に対して挿脱するよう機能する。フィルタ駆動部８０Ａは「第１駆動部」、「第２駆動部」及び「第３駆動部」の一例である。なお、フィルタ保持部材８０は、たとえば、上記各光学フィルタが円周方向に沿った配列で嵌め込まれた円板状の部材であり、その中心軸周りに回転可能に構成されたターレット（フィルタディスク）である。その場合、フィルタ駆動部８０Ａは、たとえば、ターレットを中心軸周りに回転させる駆動力を発生するパルスモータである。
【００５０】
観察系６に関するフィルタ駆動部８３Ａは、観察光軸Ｏ１に対してバリアフィルタ８３を挿脱するよう機能する。フィルタ駆動部８３Ａは、たとえば、直線的な駆動力を発生するソレノイドを含んで構成される。なお、バリアフィルタ８３以外にも光学フィルタを設ける場合には、上記と同様のターレットとパルスモータを含む構成を適用することができる。
【００５１】
〔制御部〕
制御部１０１は、細隙灯顕微鏡１の各部を制御する。たとえば、制御部１０１は、観察系６の制御や照明系８の制御を行う。観察系６の制御としては、変倍光学系３２による観察倍率の制御、絞り３３の開口サイズの制御、撮像素子４３の電荷蓄積時間、感度、フレームレート等の制御、バリアフィルタ８３の挿脱の制御などがある。バリアフィルタ８３の挿脱の制御は、フィルタ駆動部８３Ａを制御することにより行われる。
【００５２】
また、照明系８の制御としては、白色光源５１による光の出力強度の制御（調光制御）、照明絞り５６の開口サイズ（照射光量）の制御、視野絞り５７の開口サイズ（照射野）の制御、細隙形成部５４によるスリット幅の制御、光学フィルタ（色変換フィルタ８１及び蛍光フィルタ８２）の挿脱の制御などがある。白色光源５１の調光制御には、振幅制御やパルス幅制御がある。振幅制御は、ＬＥＤに対する印加電流値を制御することで出力光の強度を変化させるものである。パルス幅制御は、ＬＥＤに対する印加電流を一定の周波数でオン／オフし、そのオン時間の比率を変更することで出力光の強度を変化させるものである。照明絞り５６の開口サイズの制御は、照明絞り駆動部５６Ａを制御することにより行われる。視野絞り５７の開口サイズの制御は、視野絞り駆動部５７Ａを制御することにより行われる。細隙形成部５４によるスリット幅の制御は、スリット駆動部５４Ａを制御することにより行われる。光学フィルタの挿脱の制御は、フィルタ駆動部８０Ａを制御することにより行われる。
【００５３】
制御部１０１には記憶部１０２が設けられている。記憶部１０２には各種の情報が記憶される。制御部１０１は、記憶部１０２に記憶されたデータの読み出し処理や、記憶部１０２に対するデータの書き込み処理を行う。
【００５４】
制御部１０１は、マイクロプロセッサ、ＲＡＭ、ＲＯＭ、ハードディスクドライブ等を含んで構成される。このハードディスクドライブには、制御プログラムが予め記憶されている。制御部１０１の動作は、この制御プログラムと上記ハードウェアとが協働することによって実現される。
【００５５】
制御部１０１は、細隙灯顕微鏡１の装置本体（たとえば基台４内）やコンピュータ１００に配置される。
【００５６】
〔表示部〕
表示部１０３は、制御部１０１の制御を受けて各種の情報を表示する。表示部１０３は、ＬＣＤ等のフラットパネルディスプレイ、ＣＲＴディスプレイなどの任意の表示デバイスを含んで構成される。表示部１０３は、細隙灯顕微鏡１の装置本体に設けられていてもよいし、コンピュータ１００に設けられていてもよい。
【００５７】
〔操作部〕
操作部１０４は、操作デバイスや入力デバイスを含んで構成される。操作部１０４には、装置本体に設けられたボタンやスイッチ（たとえば操作ハンドル５等）や、コンピュータ１００のマウス、キーボードなどが含まれる。また、トラックボール、専用の操作パネル、スイッチ、ボタン、ダイアルなど、任意の操作デバイスや入力デバイスを用いることも可能である。
【００５８】
図３では、表示部１０３と操作部１０４とを別々に表しているが、これらを一体的に構成することも可能である。その具体例として、タッチパネル式のＬＣＤを用いることができる。
【００５９】
［白色光源・光学フィルタの波長特性について］
ここで、白色光源５１と色変換フィルタ８１の波長特性について説明する。図４ＡのグラフＦは色変換フィルタ８１の波長特性（フィルタ特性）の例を示す。色変換フィルタ８１のフィルタ特性Ｆは、可視光の帯域である波長約４００ｎｍ〜７００ｎｍの範囲において設定されている。色変換フィルタ８１の透過率は、波長の増加に対して単調増加している。より詳しくは、波長４００ｎｍ付近では透過率２０％程度であり、波長５００ｎｍ付近まで緩やかに透過率が増加している。波長５００ｎｍ付近での透過率は３０％程度である。更に、波長５００ｎｍ付近から波長６００ｎｍ付近までフィルタ特性Ｆは急峻に増加している。波長６００ｎｍ付近での透過率は９０％程度である。そして、波長６００ｎｍ付近から波長７００ｎｍまで、透過率が緩やかに増加して最終的には１００％に達している。
【００６０】
図４Ｂは、波長に応じた相対強度を示している。一点鎖線のグラフＬは、白色光源５１による出力光の波長特性（スペクトル分布）を示す。実線のグラフＴは、色変換フィルタ８１を透過した当該出力光の波長特性（スペクトル分布）を示す。破線のグラフＢは、ハロゲンランプによる出力光の波長特性（スペクトル分布）を示す。ハロゲンランプは演色性の高い白色光源である。
【００６１】
白色光源５１の波長特性Ｌは、波長約４００ｎｍ〜７００ｎｍの範囲において設定されており、波長４６０ｎｍ付近において急峻なピークを有し、波長５５０ｎｍ付近において緩やかなピークを有する。なお、急峻なピークの近傍である波長約４５０ｎｍ〜５００ｎｍの光が、蛍光剤の励起波長成分に相当する。
【００６２】
この実施形態では、ハロゲンランプの波長特性Ｂを、白色光源５１と色変換フィルタ８１との組み合わせで得られる照明光の波長特性のターゲットとしている。実際、白色光源５１の波長特性Ｌと色変換フィルタ８１のフィルタ特性（透過特性）Ｆとの組み合わせにより得られる照明光の波長特性Ｔは、ハロゲンランプの波長特性Ｂに近似している。
【００６３】
以上のように、白色光源５１は、蛍光剤の励起波長成分において高い強度の光を出力する。加えて、白色光源５１と色変換フィルタ８１とのを組み合わせることにより、ハロゲンランプに近い高演色性の光が生成される。具体的には、色変換フィルタ８１を用いることで、平均演色評価数が約７０から８０以上に向上し、かつ色温度が６５００Ｋ程度から３５００Ｋ程度に低下される。また、ハロゲンランプと蛍光フィルタによる蛍光量を１００％とすると、暖色系ＬＥＤと蛍光フィルタとの組み合わせでは蛍光量が４１％程度であるのに対し、白色光源５１と蛍光フィルタ８２との組み合わせ（色変換フィルタ８１は照明光路から退避されている）では１７９％となる。
【００６４】
［制御］
細隙灯顕微鏡１が実行する制御について説明する。なお、以下に説明する制御例のうちの２つ以上を任意に組み合わせることが可能である。
【００６５】
（第１の制御例）
制御部１０１は、色変換フィルタ８１と蛍光フィルタを排他的に照明光路に挿入させる。具体的には、たとえば操作部１０４を用いて蛍光観察の開始指示がなされると、制御部１０１は、フィルタ駆動部８０Ａを制御して、色変換フィルタ８１を照明光路から退避させるとともに、蛍光フィルタ８２を照明光路へ挿入させる。この制御に加え、制御部１０１は、フィルタ駆動部８３Ａを制御して、バリアフィルタ８３を観察光路に挿入させることが可能である。
【００６６】
また、蛍光観察の終了指示（通常の観察の開始指示）がなされると、制御部１０１は、フィルタ駆動部８０Ａを制御して、蛍光フィルタ８２を照明光路から退避させるとともに、色変換フィルタ８１を照明光路へ挿入させる。この制御に加え、制御部１０１は、フィルタ駆動部８３Ａを制御して、バリアフィルタ８３を観察光路から退避させることが可能である。
【００６７】
この制御例によれば、観察モードの切り替えに対応して使用するフィルタを自動的に切り替えることができる。なお、蛍光観察においては、色変換フィルタ８１ではなく、蛍光剤の励起波長成分を透過させる蛍光フィルタ８２が用いられるので、図４Ｂに示す白色光源５１の波長特性Ｌのうち励起波長成分に相当する約４５０ｎｍ〜５００ｎｍの光が被検眼Ｅに照射される。この光は、上記のように高強度（大光量）である。一方、蛍光観察以外の観察モードにおいては、蛍光フィルタ８２ではなく、色変換フィルタ８１が用いられるので、図４Ｂに示す照明光の波長特性Ｔの光が被検眼Ｅに照射される。この光は、上記のようにハロゲンランプに近い高演色性の光である。
【００６８】
（第２の制御例）
蛍光観察の開始指示を受けて、制御部１０１は、フィルタ駆動部８０Ａを制御して蛍光フィルタ８２を照明光路に挿入させるとともに、スリット駆動部５４Ａを制御して細隙形成部５４の一対のスリット刃の間隔を拡大させる。このとき、スリット幅を最大にすることができる。
【００６９】
この制御例によれば、蛍光観察への移行に連動してスリット幅が自動的に拡大される。したがって、蛍光観察において被検眼Ｅに照射される光（励起光）の強度（光量）を自動で高めることができ、十分な蛍光量を得ることが可能である。
【００７０】
（第３の制御例）
蛍光観察の開始指示を受けて、制御部１０１は、フィルタ駆動部８０Ａを制御して蛍光フィルタ８２を照明光路に挿入させるとともに、照明絞り駆動部５６Ａを制御して照明絞り５６の開口サイズを拡大することで被検眼Ｅに対する照明光の照射光量を増大させる。このとき、照明絞り５６の開口サイズを最大にすることができる。
【００７１】
この制御例によれば、蛍光観察への移行に連動して照射光量が自動的に増大される。したがって、蛍光観察において被検眼Ｅに照射される光（励起光）の光量を自動で高めることができる。
【００７２】
（第４の制御例）
蛍光観察の開始指示を受けて、制御部１０１は、フィルタ駆動部８０Ａを制御して蛍光フィルタ８２を照明光路に挿入させるとともに、視野絞り駆動部５７Ａを制御して視野絞り５７の開口サイズを拡大することで被検眼Ｅに対する照明光の照射野を拡大させる。このとき、視野絞り５７の開口サイズを最大にすることができる。
【００７３】
この制御例によれば、蛍光観察への移行に連動して照射野が自動的に拡大される。したがって、蛍光観察における観察範囲を自動で拡大することができる。
【００７４】
（第５の制御例）
蛍光観察の開始指示を受けて、制御部１０１は、フィルタ駆動部８０Ａを制御して蛍光フィルタ８２を照明光路に挿入させるとともに、白色光源５１（つまり電源から白色光源５１に対する印加電流）を制御して光の出力強度を増大させる。
【００７５】
この制御例によれば、蛍光観察への移行に連動して白色光源５１により出力される光の強度が自動的に増大される。したがって、蛍光観察において被検眼Ｅに照射される光（励起光）の強度（光量）を自動で高めることができる。
【００７６】
なお、第２〜第５の動作例を組み合わせることで、蛍光観察で得られる蛍光量を大きく増加させたり、観察範囲を拡大させたりすることが可能である。また、蛍光観察から他の観察モードへの移行に対応し、第２〜第５の動作例と逆の制御を行うことができる。つまり、蛍光観察から他の観察モードへの移行に対応し、スリット幅を縮小させ、照射光量を減少させ、照射野を縮小させ、白色光源５１の出力強度を低減させることが可能である。
【００７７】
［作用・効果］
細隙灯顕微鏡１の作用及び効果について説明する。
【００７８】
細隙灯顕微鏡１は、照明系８と観察系６を有する。照明系８は、白色光源５１と演色性変換フィルタ（色変換フィルタ８１）を含み、演色性変換フィルタを透過した光で被検眼Ｅを照明する。白色光源５１は、発光素子を有するものであり、たとえば白色ＬＥＤや白色有機ＥＬ光源である。演色性変換フィルタ（色変換フィルタ８１）は、白色光源５１により出力された光の演色性を高めるよう作用する。観察系６は、このような照明系８により照明された被検眼Ｅを観察するための光学系を有する。
【００７９】
このような細隙灯顕微鏡１によれば、白色光源５１と演色性変換フィルタ（色変換フィルタ８１）との組み合わせにより、自然光に近い視認特性の照明光を用いて被検眼Ｅを観察することが可能である。
【００８０】
細隙灯顕微鏡１は、照明系８の光路に対して演色性変換フィルタ（色変換フィルタ８１）を挿脱する第１駆動部（フィルタ駆動部８０Ａ）を有している。
【００８１】
白色光源５１として寒色系白色光源を適用し、かつ、照明系８は、この寒色系白色光源により出力された光の色温度を低下させる色温度変換フィルタ（色変換フィルタ８１）を含んでいてもよい。それにより、上記のように好適な色特性の照明光を用いることが可能となる。また、細隙灯顕微鏡１は、照明系の光路に対して色温度変換フィルタを挿脱する第２駆動部（フィルタ駆動部８０Ａ）を有している。
【００８２】
なお、この実施形態では演色性変換フィルタと色温度変換フィルタとを単一の光学フィルタとして構成しているが、これらを別々の光学フィルタとして構成することも可能である。その場合、これら２つの光学フィルタの照明光路への挿脱を独立に行わせるように構成することができる。
【００８３】
照明系８は、被検眼Ｅに投与される蛍光剤の励起波長成分を透過させる蛍光フィルタ８２を含んでいてもよい。それにより、蛍光観察が可能となる。また、細隙灯顕微鏡１は、照明系の光路に対して蛍光フィルタ８２を挿脱する第３駆動部（フィルタ駆動部８０Ａ）を有している。
【００８４】
細隙灯顕微鏡１は、演色性変換フィルタ（色変換フィルタ８１）の照明光路への挿入と蛍光フィルタ８２の照明光路からの退避とを連動させ、かつ、蛍光フィルタ８２の照明光路への挿入と演色性変換フィルタ（色変換フィルタ８１）の照明光路からの退避とを連動させるように、第１駆動部及び第３駆動部（ともにフィルタ駆動部８０Ａ）を制御する第１制御部（制御部１０１）を有していてもよい。それにより、蛍光観察と他の観察モードとの間の切り替えを容易に行うことが可能となる。
【００８５】
第１制御部（制御部１０１）は、演色性変換フィルタ及び色温度変換フィルタ（ともに色変換フィルタ８１）の照明光路への挿入と蛍光フィルタ８２の照明光路からの退避とを連動させ、かつ、蛍光フィルタ８２の照明光路への挿入と演色性変換フィルタ及び色温度変換フィルタ（ともに色変換フィルタ８１）の照明光路からの退避とを連動させるように、第１駆動部及び第３駆動部（ともにフィルタ駆動部８０Ａ）を制御することができる。それにより、蛍光観察と他の観察モードとの間の切り替えを容易に行うことが可能となる。
【００８６】
演色性変換フィルタ及び色温度変換フィルタを単一の光学フィルタ（色変換フィルタ８１）として構成し、かつ、第１駆動部及び第２駆動部を単一の駆動部（フィルタ駆動部８０Ａ）として構成することができる。それにより、装置構成（光学系の構成）の簡略化を図ることができる。
【００８７】
更に、単一の光学フィルタ（色変換フィルタ８１）と蛍光フィルタ８２とを保持する保持部材（フィルタ保持部材８０）を設け、かつ、第１駆動部、第２駆動部及び第３駆動部を、保持部材を移動させる単一の駆動部（フィルタ駆動部８０Ａ）として構成することができる。それにより、装置構成の簡略化を図ることができる。
【００８８】
この発明の眼科観察装置を細隙灯顕微鏡として構成する場合、白色光源５１により出力された光からスリット光を生成する一対のスリット刃（細隙形成部５４）が照明系８に設けられる。更に、スリット刃の間隔（スリット幅）を変更する第４駆動部（スリット駆動部５４Ａ）と、照明光路に対する蛍光フィルタ８２の挿入とスリット刃の間隔の拡大とを連動させるように、第３駆動部（フィルタ駆動部８０Ａ）及び第４駆動部（スリット駆動部５４Ａ）を制御する第２制御部（制御部１０１）とを設けることが可能である。それにより、蛍光観察への移行に際して、被検眼Ｅに照射される光（励起光）の強度（光量）を自動で高めることができる。
【００８９】
白色光源５１により出力された光の被検眼Ｅに対する照射光量を制限する照明絞り５６を照明系８に設けることができる。更に、照明絞り５６による照射光量を変更する第５駆動部（照明絞り駆動部５６Ａ）と、照明光路に対する蛍光フィルタ８２の挿入と照射光量の増大とを連動させるように第３駆動部（フィルタ駆動部８０Ａ）及び第５駆動部（照明絞り駆動部５６Ａ）を制御する第３制御部（制御部１０１）とを設けることができる。それにより、蛍光観察への移行に際して、被検眼Ｅに照射される光（励起光）の光量を自動で高めることが可能となる。
【００９０】
白色光源５１により出力された光の被検眼Ｅに対する照射野を制限する視野絞り５７を照明系８に設けることができる。更に、視野絞り５７による照射野を変更する第６駆動部（視野絞り駆動部５７Ａ）と、照明光路に対する蛍光フィルタ８２の挿入と照射野の拡大とを連動させるように第３駆動部（フィルタ駆動部８０Ａ）及び第６駆動部（視野絞り駆動部５７Ａ）を制御する第４制御部（制御部１０１）とを設けることができる。それにより、蛍光観察への移行に際して、被検眼Ｅに対する光（励起光）の照射野を自動で拡大することが可能となる。
【００９１】
照明光路に対する蛍光フィルタ８２の挿入と白色光源５１による光の出力強度の増大とを連動させるように、第３駆動部（フィルタ駆動部８０Ａ）及び白色光源５１を制御する第５制御部（制御部１０１）を設けることができる。それにより、蛍光観察への移行に際して、被検眼Ｅに照射される光（励起光）の強度（光量）を自動で高めることができる。
【００９２】
演色性変換フィルタ（色変換フィルタ８１）を、照明系８の光軸に対して傾斜配置させることができる。それにより、演色性変換フィルタ（色変換フィルタ８１）による反射光が照明光に混入して照明光の色特性に影響を与えることを防止できる。
【００９３】
この実施形態によれば、蛍光観察においては高輝度の照明光を用いることができ、他の観察モードにおいては自然光に近い視認特性の照明光を用いることが可能である。
【００９４】
以上において説明した構成は、この発明を実施するための一具体例に過ぎない。この発明を実施しようとする者は、この発明の要旨の範囲内における任意の変形を適宜に施すことが可能である。
【符号の説明】
【００９５】
１  細隙灯顕微鏡（眼科観察装置）
６  観察系
８  照明系
５１  白色光源
５４  細隙形成部
５４Ａ  スリット駆動部
５６  照明絞り
５６Ａ  照明絞り駆動部
５７  視野絞り
５７Ａ  視野絞り駆動部
８０  フィルタ保持部材
８０Ａ  フィルタ駆動部
８１  色変換フィルタ
８２  蛍光フィルタ
８３  バリアフィルタ
８３Ａ  フィルタ駆動部
１００  コンピュータ
１０１  制御部
１０２  記憶部
１０３  表示部
１０４  操作部
Ｏ１  観察光軸
Ｏ２  照明光軸
Ｅ  被検眼
【図１】
2014023868.tif 000003
【図２】
2014023868.tif 000004
【図３】
2014023868.tif 000005
【図４Ａ】
2014023868.tif 000006
【図４Ｂ】
2014023868.tif 000007